(57)【特許請求の範囲】
【請求項１】
画面表示用の開口部を開設した前面および４側面を有する前面パネルと、
背面および４側面を有し、互いに内面を向いた状態で４側面の周縁部同士を合わせて上記前面パネルに組み付く背面パネルにより構成され、
上記背面パネルの周縁部の略全周に突設した、上記前面パネルの内側に入り込む背面リブと、上記背面リブに開設した嵌合穴と、上記前面パネルに形成した、上記嵌合穴に嵌合する嵌合爪とを備え、
上記背面リブの前面パネル内側を向く面が対向する前面パネル内側の面に対して傾斜していること、または、上記背面リブおよび上記前面パネル内側の面のいずれか一方の４辺すべてに他方へ部分接触する微小当て部を設けることを特徴とするディスプレイ装置筐体。
【請求項２】
上記背面リブの前面パネル内側を向く面は、先端に向って薄肉になるよう傾斜したテーパ面であることを特徴とする請求項１記載のディスプレイ装置筐体。
【請求項３】
上記背面リブの嵌合穴の両端部分を切り欠いた一対の切欠部と、
上記前面パネルの周縁部に突設した、上記一対の切欠部から背面パネルの内側に入り込む一対の前面リブとを備えることを特徴とする請求項１記載のディスプレイ装置筐体。
【請求項４】
上記前面リブの背面パネル内側を向く面は、先端に向って薄肉になるよう傾斜したテーパ面であることを特徴とする請求項３記載のディスプレイ装置筐体。
【請求項５】
上記前面リブおよび上記背面パネル内側の面のいずれか一方の４辺すべてに、他方へ部分接触する微小当て部を設けることを特徴とする請求項３記載のディスプレイ装置筐体。
【請求項６】
上記背面パネルの側面同士が交わる角部に沿って突設した上記背面リブの曲率半径は、上記前面パネルの側面同士が交わる角部の曲率半径より大きいことを特徴とする請求項１から請求項５のうちのいずれか１項記載のディスプレイ装置筐体。
【発明の詳細な説明】
【技術分野】
【０００１】
この発明は、画面表示用の開口部を有する前面パネルと背面パネルとを、周縁部同士を合わせて組み付けるディスプレイ装置筐体に関する。
【背景技術】
【０００２】
従来のディスプレイ装置の筐体は、互いに内面を向いた状態で周縁部同士を合わせて接合するような一対の半割筐体から構成され、周縁部同士を接合させた状態で互いの係合部を係合して固定する（例えば、特許文献１参照）。
【先行技術文献】
【特許文献】
【０００３】
【特許文献１】特開平９−２４６７７２号公報
【発明の概要】
【発明が解決しようとする課題】
【０００４】
このような従来のディスプレイ装置筐体では、前面側の半割筐体は画面表示用の開口部があるので外力を受けにくいが、背面側の半割筐体には開口部がないので直接外力を受けやすい。そのため、外力を受けると背面側の半割筐体がたわみ、その周縁部が外方へ開くように動き、前面側の半割筐体との接合部分が擦れてきしみ音が生ずるという課題があった。
【０００５】
この発明は、上記のような課題を解決するためになされたもので、前面パネルと背面パネルの接合部分の擦れをなくしてきしみ音を改善したディスプレイ装置筐体を提供することを目的とする。
【課題を解決するための手段】
【０００６】
この発明に係るディスプレイ装置筐体は、画面表示用の開口部を開設した前面および４側面を有する前面パネルと、背面および４側面を有し、互いに内面を向いた状態で４側面の周縁部同士を合わせて前面パネルに組み付く背面パネルにより構成され、背面パネルの周縁部の略全周に突設した、前面パネルの内側に入り込む背面リブと、背面リブに開設した嵌合穴と、前面パネルに形成した、嵌合穴に嵌合する嵌合爪とを備え、背面リブの前面パネル内側を向く面が対向する前面パネル内側の面に対して傾斜していること、または、背面リブおよび前面パネル内側の面のいずれか一方の４辺すべてに他方へ部分接触する微小当て部を設けるものである。
【発明の効果】
【０００７】
この発明によれば、背面パネルの周縁部の略全周に突設した背面リブが前面パネルの内側に入り込んでいるため、背面パネルに外力が加わったとしても背面パネルの周縁部が外方へ動かなくなり、前面パネルと背面パネルの接合部分の擦れをなくすとともに、背面リブの前面パネル内側を向く面が対向する前面パネル内側の面に対して傾斜していること、または、背面リブおよび前面パネル内側の面のいずれか一方の４辺すべてに他方へ部分接触する微小当て部を設けるようにしたことにより、背面リブと背面パネルの接触面を最小限に抑えることにより、きしみ音を改善することができる。
【図面の簡単な説明】
【０００８】
【図１】この発明の実施の形態１に係るディスプレイ装置筐体を用いたディスプレイ装置の一例を示す分解斜視図である。
【図２】この発明の実施の形態１に係るディスプレイ装置筐体を用いたディスプレイ装置の一例を示す外観斜視図である。
【図３】この発明の実施の形態１に係るディスプレイ装置筐体の構成を示す分解斜視図である。
【図４】図３に示すＡＡ線に沿って切断したディスプレイ装置筐体の断面図であり、前面パネル５と背面パネル８が組み付いた状態を示す。
【図５】図４に丸枠で囲った部分の拡大図である。
【図６】図４に示すＢＢ線に沿って切断したディスプレイ装置筐体の断面図である。
【図７】図４に示すＣＣ線に沿って切断したディスプレイ装置筐体の断面図である。
【図８】図４に示すＤＤ線に沿って切断したディスプレイ装置筐体の断面図である。
【図９】実施の形態１に係るディスプレイ装置筐体の変形例を示す図であり、図３に示すＡＡ線に相当する位置で切断した断面図である。
【図１０】実施の形態１に係るディスプレイ装置筐体の変形例を示す図であり、嵌合部分を拡大した正面図である。
【発明を実施するための形態】
【０００９】
実施の形態１．
図１および図２に、本実施の形態１に係るディスプレイ装置１の一例を示す。図１の分解斜視図において、液晶３およびホルダ４がネジにより前面パネル５に固定され、このホルダ４に基板６およびシールド板金７が取り付けられる。そして、これら液晶３、ホルダ４、基板６およびシールド板金７を取り付けた前面パネル５に背面パネル８を組み付けて、図２に示す状態のディスプレイ装置１にする。
【００１０】
図３に、ディスプレイ装置筐体２を構成する前面パネル４および背面パネル８を抜き出して示す。また、図４は、ディスプレイ装置筐体２を図３に示すＡＡ線に沿って切断した断面図であり、前面パネル５と背面パネル８が組み付いた状態を示す。図３および図４に示すように、実施の形態１に係るディスプレイ装置筐体２は、液晶３を露出させる画面表示用の開口部９を開設した前面および４側面を有する前面パネル５と、背面および４側面を有する背面パネル８とを、互いに内面を向いた状態で周縁部１０，１１同士を合わせるように組み付けてなる。
【００１１】
背面パネル８には、４側面の周縁部１１から突出して前面パネル５の内側に入り込む背面リブ１４を突設する。この背面リブ１４の任意部分を嵌合突片１２とし、嵌合突片１２に嵌合穴１３を開設する。また、背面リブ１４の嵌合穴１３両端部分を切り欠いて、一対の切欠部１４ａにする。従って、背面リブ１４は、周縁部１１の少なくとも嵌合突片１２および切欠部１４ａを除いた部分から突出していることになる。この背面リブ１４の前面パネル５内側を向く面は、先端に向って薄肉になるよう傾斜したテーパ面１５（図３および図４では不図示）とする。テーパ面１５の詳細は後述する。
【００１２】
前面パネル５の内側には、嵌合穴１３に嵌合する嵌合爪１６を形成する。また、前面パネル５の周縁部１０から突出して、一対の切欠部１４ａから背面リブ１４の内側に入り込む一対の前面リブ１７を突設する。前面リブ１７の背面パネル８内側を向く面は、先端に向って薄肉になるよう傾斜したテーパ面１８（図３および図４では不図示）とする。テーパ面１８の詳細は後述する。
【００１３】
なお、図示例では、複数の嵌合爪１６のうちの一部が隠れて見えないが、嵌合爪１６、嵌合突片１２および嵌合穴１３から構成される嵌合部を１０組設けている。また、嵌合部の位置に合わせて一対の前面リブ１７と一対の切欠部１４ａとを１０組設けている。ただし、嵌合部の位置および組数はこれに限定されるものではなく、任意の位置に任意の組数設ければよい。
【００１４】
図５は、図４に丸枠で囲った部分の拡大図である。また、図４に示すＢＢ線に沿って切断した断面図を図６に、ＣＣ線に沿って切断した断面図を図７に示す。図４および図６に示すように、嵌合爪１６が嵌合穴１３に嵌合することで、前面パネル５と背面パネル８が組み付いた状態に保持される。
【００１５】
この状態のとき、背面リブ１４が前面パネル５内側に入り込むと共に、前面リブ１７が背面パネル８内側に入り込み、さらに、周縁部１０，１１同士が接合する。図５に示すように、背面リブ１４の前面パネル５と接触する面をテーパ面１５にしたので、背面リブ１４の基端側のみが前面パネル５内側に部分接触する。また、図７に示すように、前面リブ１７の背面パネル８と接触する面をテーパ面１８にしたので、前面リブ１７の基端側のみが背面パネル８内側に部分接触する。
【００１６】
図２に示すように、ディスプレイ装置筐体２を用いたディスプレイ装置１は左右両端がヒンジで回動自在に支持されている。ユーザは、ディスプレイ装置筐体２を掴んで回動させ、姿勢を調整することになる。このとき、背面パネル８が外力を受けてたわむと、周縁部１１が外方へ開こうとするが、背面リブ１４が前面パネル５の内側に部分接触しているため動かない。そのため、周縁部１１と周縁部１０との接合部分の擦れを防止でき、きしみ音の発生を抑制できる。また、背面リブ１４と前面パネル５の接触面は基端側のみと小さいので、きしみ音を抑制できる。
【００１７】
前面パネル５が外力を受けてたわむと、周縁部１０が外方へ開こうとするが、前面リブ１７が背面パネル８の内側に部分接触しているため動かない。そのため、周縁部１０と周縁部１１との接合部分の擦れを防止してきしみ音の発生を抑制できると共に、嵌合穴１３と嵌合爪１６の嵌合が外れることも防止できる。また、前面リブ１７と背面パネル８の接触面は基端側のみと小さいので、きしみ音を抑制できる。
【００１８】
図８は、図４に示すＤＤ線に沿って切断したディスプレイ装置筐体２の断面図であり、背面リブ１４の角部１９と前面パネル５の角部２０の組み付き状態を示す。背面パネル８の側面同士が交わる角部に沿って突設した、背面リブ１４の角部１９の曲率半径は、前面パネル５の側面同士が交わる角部２０の曲率半径より大きくする。このように、前面パネル５と背面パネル８の意匠的な合わせが難しくずれやすい角部１９，２０においては、隙間を設けて接触しないようにする。これにより、角部１９，２０に寸法のばらつきがあっても前面パネル５および背面パネル８を確実に組み付けることができると共に、角部１９，２０の擦れを防止できる。
【００１９】
以上より、実施の形態１によれば、ディスプレイ装置筐体２を、画面表示用の開口部９を開設した前面および４側面を有する前面パネル５と、背面および４側面を有し、互いに内面を向いた状態で４側面の周縁部１０，１１同士を合わせて前面パネル５に組み付く背面パネル８と、背面パネル８の周縁部１１の略全周に突設した、前面パネル５の内面に入り込む背面リブ１４と、背面リブ１４のうちの嵌合突片１２部分に開設した嵌合穴１３と、前面パネル５に形成した、嵌合穴１３に嵌合する嵌合爪１６とを備えるように構成した。このため、ディスプレイ装置筐体２に外力が加わったとしても背面パネル８の周縁部１１が外方へ動かなくなり、前面パネル５と背面パネル８の接合部分の擦れをなくしてきしみ音を改善することができる。
【００２０】
また、実施の形態１によれば、背面リブ１４の前面パネル５内側を向く面を、先端に向って薄肉になるよう傾斜したテーパ面１５にしたので、背面リブ１４と前面パネル５の接触面を最小限に抑えて、きしみ音を抑制することができる。
【００２１】
また、実施の形態１によれば、背面リブ１４の嵌合穴１３の両端部分を切り欠いた一対の切欠部１４ａと、前面パネル５の周縁部１０に突設した、一対の切欠部１４ａから背面パネル８の内側に入り込む一対の前面リブ１７とを備えるように構成した。このため、ディスプレイ装置筐体２に外力が加わったとしても前面パネル５の周縁部１０が外方へ動かなくなり、前面パネル５と背面パネル８の接合部分の擦れをなくしてきしみ音を改善することができる。
【００２２】
また、実施の形態１によれば、背面パネル８の側面同士が交わる角部１９に沿って突設した背面リブ１４の曲率半径を、前面パネル５の側面同士が交わる角部２０の曲率半径より大きくしたので、角部１９，２０がずれても隙間があるので擦れず、きしみ音を防止できる。
【００２３】
なお、上記実施の形態１では、背面リブ１４および前面リブ１７にテーパ面１５，１８をそれぞれ設ける構成にしたが、テーパ面１５，１８に代えて、当て部を設けてもよい。当て部の一例を図９および図１０に示す。図９は、図４に丸で囲った部分に相当する。図１０は、嵌合部分の拡大図である。背面リブ１４を、前面パネル５の内側に若干の隙間を有して入り込む構成にし、この隙間に微小な当て部２１を突設する。当て部２１は、図９および図１０に示すように背面リブ１４外側に設けてもよいし、前面パネル５内側に設けてもよい。
【００２４】
また、前面リブ１７を、背面パネル８の内側に若干の隙間を有して入り込む構成にし、この隙間にも当て部２２を突設する。この当て部２２も、図１０に示すように前面リブ１７外側に設けてもよいし、背面パネル８内側（即ち、切欠部１４ａ内側）に設けてもよい。
【００２５】
このように、背面リブ１４および前面パネル５内側の面のいずれか一方に、他方へ部分接触する当て部２１を設けることにより、上記実施の形態１と同様に背面リブ１４と前面パネル５の接触面を最小限に抑えて、きしみ音を抑制することができるという効果がある。同様に、前面リブ１７および背面パネル８内側の面のいずれか一方に、他方へ部分接触する当て部２２を設けることにより、前面リブ１７と背面パネル８の接触面を最小限に抑えて、きしみ音を抑制することができる。
【００２６】
なお、前面パネル５と背面パネル８を構成する部材は、樹脂等の任意の部材を用いればよい。用いる部材の摩擦抵抗が大きいと、前面パネル５と背面パネル８が擦れて生じるきしみ音も大きくなるので、そのような場合に特に発明の効果が大きい。
【図１】
0005393887.tif 000002
【図２】
0005393887.tif 000003
【図３】
0005393887.tif 000004
【図４】
0005393887.tif 000005
【図５】
0005393887.tif 000006
【図６】
0005393887.tif 000007
【図７】
0005393887.tif 000008
【図８】
0005393887.tif 000009
【図９】
0005393887.tif 000010
【図１０】
0005393887.tif 000011